(57)【要約】【課題】ナットが下向きや横向きの場合でも、打撃スパナでナットを強固に締め付ける作業の安全性を向上させることができる打撃スパナと併用するクリップを提供する。【解決手段】枢軸１８を境に一端側の操作部１７ａを閉じると他端側の挟持部１７ｂが開くように一対の挟持部材１７を枢止結合し、この両挟持部材１７に弾性部材１９で挟持部１７ｂが常時閉じる方向の弾性を付勢し、前記両挟持部１７ｂの対向面に、ねじ軸１５へ外嵌するよう設けた凹欠部２２の内周面にねじ軸１５の雄ねじ１５ａに噛み合う雌ねじ２３を形成する。【選択図】図１
2010120097.tif 000002
【特許請求の範囲】
【請求項１】
一対の挟持部材を枢軸で、この枢軸を境に一端側の操作部を閉じると他端側の挟持部が開くように枢止結合し、この両挟持部材に弾性部材で挟持部が常時閉じる方向の弾性を付勢し、前記両挟持部の対向面にねじ軸へ外嵌する弧状の凹欠部を設け、この凹欠部の内周面にねじ軸の雄ねじに噛み合う雌ねじを形成した打撃スパナと併用するクリップ。
【発明の詳細な説明】
【技術分野】
【０００１】
この発明は、ボルトに螺合したナットを打撃スパナで締め付ける場合に、打撃スパナがナットから離脱することのないように使用するクリップに関する。
【背景技術】
【０００２】
ボルトとナットを用いて各種部材を締結する作業において、ナットを強く締め付けて強固な締結状態を得る場合、打撃スパナが用いられる。
【０００３】
上記打撃スパナ１は、図３のように、柄２の先端に位置する頭部２ａに多角形の星型孔３を設けたメガネレンチによって形成され、図３（ｃ）の如く、ボルト４に螺合したナット５に星型孔３を外嵌した状態で、打撃スパナ１の柄２をハンマー６で叩くことにより、ナット５を強固に締め付けるものである。
【０００４】
ところで、打撃スパナ１の柄２をハンマー６で叩く場合、ナット５に対して星型孔３は少し余裕があるので、ナット５に打撃スパナ１を固定することができず、このため、ハンマー６で叩こうとしたとき打撃スパナ１が落下し、ハンマー６を空振りすることによる怪我が生じるという危険がある。
【０００５】
このような危険を防ぐため、従来の打撃スパナ１における脱落防止手段としては、図３で示したように、柄２に設けた孔７に引っ張り紐８を連結した構造を有し、この引っ張り紐８をナット５のねじ込み方向に引くことで、ナット５に対する打撃スパナ１の固定化を図り、この状態で打撃スパナ１の柄２をハンマー６で叩くようにしている。
【発明の開示】
【発明が解決しようとする課題】
【０００６】
しかしながら、引っ張り紐８で打撃スパナ１をねじ込み方向に引く方法は、ナット５が上向きの場合、それなりに効果はあるが、ナット５が下向きや横向きにある場合、引っ張り紐８が少しでも緩むと、ナット５から打撃スパナ１が離脱することになり、十分な安全確保になっていないので、作業現場で何人もの負傷者が発生しているのが実情である。
【０００７】
そこで、この発明の課題は、ナットが下向きや横向きの場合でも、打撃スパナをナットから外れることなく保持することができ、打撃スパナでナットを強固に締め付ける作業の安全性を向上させることができる打撃スパナと併用するクリップを提供することにある。
【課題を解決するための手段】
【０００８】
上記の課題を解決するため、この発明は、一対の挟持部材を枢軸で、この枢軸を境に一端側の操作部を閉じると他端側の挟持部が開くように枢止結合し、この両挟持部材に弾性部材で挟持部が常時閉じる方向の弾性を付勢し、前記両挟持部の対向面にねじ軸へ外嵌する弧状の凹欠部を設け、この凹欠部の内周面にねじ軸の雄ねじに噛み合う雌ねじを形成したものである。
【０００９】
ここで、上記した一対の挟持部材は、厚みのある板状となり、両挟持部材は、対向面の一方に設けた二又リブと他方に設けたリブを嵌め合わせてこの部分を枢軸で結合し、この枢軸を境として一端側が操作部で他端側が挟持部となり、前記操作部は対向面が枢軸から端部に向けて離反する傾斜面となり、端部に向けて細幅に形成され、また、挟持部は操作部よりも長い角棒状となり、その対向面の中間部に、ボルトのねじ軸に外嵌する半円状の凹欠部が設けられ、この凹欠部の内周に設けた雌ねじがボルトのねじ軸に形成した雄ねじのピッチに一致している。
【００１０】
上記弾性部材は、バネを用い、両挟持部材を結合する枢軸の部分に、両操作部を押し開くように組み込まれ、両挟持部に常時閉じる方向の弾性を付勢し、両操作部を指先で閉じると、両挟持部は枢軸を支点に拡開することになり、この両挟持部の拡開量は、ボルトのねじ軸に対して凹欠部を出し入れすることができるように設定されている。
【発明の効果】
【００１１】
この発明によると、ナットを打撃スパナで締め付けるとき、ナットから突出するねじ軸を両挟持部で弾力的に挟めば、両挟持部の凹欠部に設けた雌ねじがねじ軸の雄ねじに噛み合い、クリップをねじ軸に対して固定化できるので、ナットに外嵌係合させた打撃スパナをナットから離脱しないように保持することができ、ナットが下向きや横向きの場合でも、打撃スパナをハンマーで確実に叩くことが可能になり、打撃スパナの落下や空振りによる怪我の発生をなくし、打撃スパナでナットを強固に締め付ける作業の安全性を向上させることができる
【００１２】
また、クリップは、両操作部を閉じる操作だけでねじ軸に対して着脱できるので、取り扱い操作が簡単である。
【発明を実施するための最良の形態】
【００１３】
以下、この発明の実施の形態を図示例に基づいて説明する。
【００１４】
図１（ａ）は、この発明のクリップ１１の使用例を示し、パッキン１２を挟んで重なる部材１３、１３をボルト１４とこのボルト１４のねじ軸１５に螺合したナット１６で締結する場合に、ナット１６は打撃スパナ１で締め付けるようにし、クリップ１１はナット１６から突出するねじ軸１５に取付けるようにする。
【００１５】
この発明のクリップ１１は、図１（ｂ）と図２に示すように、金属等の硬質材料を用いた一対の挟持部材１７と、両挟持部材１７を結合する枢軸１８と、両挟持部材１７に挟持弾性を付勢する弾性部材１９とで形成されている。
【００１６】
上記挟持部材１７は、厚みのある板状となり、両挟持部材１７は、対向面の一方に設けた二又リブ２０と他方に設けたリブ２１を嵌め合わせてこの部分を貫通する枢軸１８で結合し、この枢軸１８を境として一端側が操作部１７ａで他端側が挟持部１７ｂとなっている。
【００１７】
上記操作部１７ａは、対向面が枢軸１８から端部に向けて離反する傾斜面となり、端部に向けて細幅に形成され、また、挟持部１７ｂは操作部１７ａよりも長い角棒状で先端が円弧面となり、その対向面の中間部に、ボルト１４のねじ軸１５に外嵌する半円状の凹欠部２２が設けられ、この凹欠部２２の内周にボルト１４のねじ軸１５に形成した雄ねじ１５ａのピッチに一致する雌ねじ２３が形成されている。
【００１８】
上記弾性部材１９は、バネを用い、両挟持部材１７を結合する枢軸１８の部分に、両操作部１７ａを押し開くように組み込まれ、これによって枢軸１８を支点として両挟持部１７ｂに常時閉じる方向の弾性を付勢し、両操作部１７ａを指先で閉じると、両挟持部１７ｂは枢軸１８を支点に拡開することになり、この両挟持部１７ｂの拡開量は、図２（ｃ）のように、ボルト１４のねじ軸１５に対して凹欠部２２を出し入れすることができるように設定されている。
【００１９】
図示の場合、両挟持部１７ｂの上面には、前後の位置に打撃スパナ１へ当接する間隔保持用の低い突起２４を設け、両挟持部１７ｂの対向面における先端部の一方に突部２５と他方にこの突部２５の嵌る凹部２６を設け、両挟持部１７ｂが閉じた状態で厚み方向への位相のずれが生じないようにしている。
【００２０】
なお、上記打撃スパナ１は、図３で示したようなメガネレンチを使用することになる。
【００２１】
この発明のクリップ１１は、上記のような構成であり、図１（ａ）のように、パッキン１２を挟んで重なる部材１３、１３をボルト１４とこのボルト１４のねじ軸１５に螺合したナット１６で締結する場合に、ナット１６を打撃スパナ１で締め付けるときに使用する。
【００２２】
予め、ナット１６に対して打撃スパナ１の頭部２ａを外嵌係合させた状態で、上記クリップ１１を、図２（ｃ）のように、両操作部１７ａを指先で閉じるようにつまんで閉じることで両挟持部１７ｂを拡開させ、この開いた両挟持部１７ｂの対向面間を凹欠部２２がボルト１４のねじ軸１５に臨むように外嵌し、上面の突起２４を打撃スパナ１の下面に当接させ、両操作部１７ａのつまんだ力を解き、弾性部材１９の作用で両挟持部１７ｂが閉じるようにする。
【００２３】
両挟持部１７ｂが閉じると、凹欠部２２がねじ軸１５に外嵌して両側から抱持し、この凹欠部２２の内周面に設けた雌ねじ２３がねじ軸１５の雄ねじ１５ａに噛み合い、これによって、クリップ１１は、ねじ軸１５に対して軸方向に移動しないように強固に固定され、図１（ａ）のように、ナット１６に嵌めてある打撃スパナ１は、手が離れるようなことがあってもナット１６から脱落することのないようクリップ１１によって保持される。
【００２４】
このように、打撃スパナ１は、ナット１６から脱落しないようになるので、打撃スパナ１をハンマーで叩いて締め付ける作業時に、空振りをしたり、打撃スパナ１が打撃時の衝撃で飛散するようなことがなく、打撃スパナ１によるナット１６の締め付けが安全に行えることになる。
【００２５】
上記ナット１６の締め付けが完了すると、クリップ１１の両操作部１７ａを指先で閉じて両挟持部１７ｂを開き、クリップ１１をねじ軸１５から取外した後、ナット１６から打撃スパナ１を取外せば、作業が完了する。
【００２６】
なお、クリップ１１の使用は、図示の場合、ナット１６が下向きの場合を示したが、ナット１６が横向きや上向きの条件での使用も当然可能である。
【００２７】
また、ねじ軸１５の雄ねじ１５ａに対するクリップ１１の雌ねじ２３の噛み合わせ量は、２ピッチ程度あれば十分な強度を確保することができ、ねじ軸１５のナット１６からの突出長さが短い場合でも、ねじ軸１５に対してクリップ１１を取付けて使用することができる。
【図面の簡単な説明】
【００２８】
【図１】（ａ）はこの発明に係るクリップの使用状態を示す縦断面図、（ｂ）はクリップの斜視図
【図２】（ａ）はクリップの平面図、（ｂ）は同側面図、（ｃ）はクリップの挟持部を開いた状態を示す平面図
【図３】（ａ）は打撃スパナの平面図、（ｂ）は同側面図、（ｃ）は打撃スパナによるナット締め付け時の底面図
【符号の説明】
【００２９】
１１        クリップ
１２        パッキン
１３        部材
１４        ボルト
１５        ねじ軸
１６        ナット
１７        挟持部材
１７ａ      操作部
１７ｂ      挟持部
１８        枢軸
１９        弾性部材
２０        二又リブ
２１        リブ
２２        凹欠部
２３        雌ねじ
２４        突起
２５        突部
２６        凹部
【図１】
2010120097.tif 000003
【図２】
2010120097.tif 000004
【図３】
2010120097.tif 000005